(57)【特許請求の範囲】
【請求項１】
ＲＦＩＤリーダライタから送信されるコマンド信号である送信波をＲＦＩＤタグが受信し、その送信波のコマンド信号により前記ＲＦＩＤタグ内のメモリ部に格納されているタグ情報の更新・書き換え、又はそのタグ情報を前記ＲＦＩＤタグが前記ＲＦＩＤリーダライタに読み出し信号として返信波を送信するＲＦＩＤシステムにおいて、前記送信波と周波数が異なる電波を送信する手段であって、前記ＲＦＩＤタグが受信する前記送信波の周波数帯を前記ＲＦＩＤタグに切替させるために、切替後送信波の周波数情報である周波数設定コマンド信号を周波数設定波として前記ＲＦＩＤタグへ送信する周波数設定波送信手段と、前記ＲＦＩＤタグに設けられ、前記送信波を含む到来電波を受信する第１のアンテナ部と、前記ＲＦＩＤタグに設けられ、前記周波数設定波を受信する第２のアンテナ部と、この第２のアンテナ部が受信した前記周波数設定波を復調し、前記周波数設定コマンド信号から周波数切替信号を生成する周波数設定回路と、前記周波数切替信号に基づいて、前記第１のアンテナ部が受信した到来電波の通過帯を、前記送信波の周波数帯から前記切替後送信波の周波数帯に設定し、前記切替後送信波以外の周波数帯を阻止帯に設定するフィルタ部と、このフィルタ部によって前記到来電波から濾波された前記切替後送信波のコマンド信号を復調する復調回路と、復調されたコマンド信号から、前記メモリ部へ前記タグ情報の更新・書き換えと読み出しとのいずれか一方、又は両方の指示を行う制御回路と、この制御回路の指示により前記メモリ部が出力した読み出し信号を返信波に変調する変調回路とを備えたＲＦＩＤシステム。
【請求項２】
前記周波数設定波送信手段は、前記ＲＦＩＤリーダライタに設けられるものである請求項１に記載のＲＦＩＤシステム。
【請求項３】
ＲＦＩＤリーダライタから送信されるコマンド信号である送信波を受信し、その送信波のコマンド信号により内部のメモリ部に格納されているタグ情報の更新・書き換え、又はそのタグ情報を前記ＲＦＩＤリーダライタに読み出し信号として返信波を送信するＲＦＩＤタグにおいて、前記送信波を含む到来電波を受信する第１のアンテナ部と、前記送信波と周波数が異なる電波であって、受信する前記送信波の周波数帯を切替るための、切替後送信波の周波数情報である周波数設定コマンド信号を周波数設定波として受信する第２のアンテナ部と、この第２のアンテナ部が受信した前記周波数設定波を復調し、前記周波数設定コマンド信号から周波数切替信号を生成する周波数設定回路と、前記周波数切替信号に基づいて、前記第１のアンテナ部が受信した到来電波の通過帯を、前記送信波の周波数帯から前記切替後送信波の周波数帯に設定し、前記切替後送信波以外の周波数帯を阻止帯に設定するフィルタ部と、このフィルタ部によって前記到来電波から濾波された前記切替後送信波のコマンド信号を復調する復調回路と、復調されたコマンド信号から、前記メモリ部へ前記タグ情報の更新・書き換えと読み出しとのいずれか一方、又は両方の指示を行う制御回路と、この制御回路の指示により前記メモリ部が出力した読み出し信号を返信波に変調する変調回路とを備えたＲＦＩＤタグ。
【請求項４】
ＲＦＩＤリーダライタから送信されるコマンド信号である送信波をＲＦＩＤタグが受信し、その送信波のコマンド信号により前記ＲＦＩＤタグ内のメモリ部に格納されているタグ情報の更新・書き換え、又はそのタグ情報を前記ＲＦＩＤタグが前記ＲＦＩＤリーダライタに読み出し信号として返信波を送信するＲＦＩＤシステムにおいて、前記送信波の周波数が切替る前に前記コマンド信号に切替後の切替後送信波の周波数情報である周波数設定コマンド信号が含まれている場合であって、前記送信波又は前記切替後送信波を含む到来電波を受信するアンテナ部と、このアンテナ部が受信した前記周波数設定コマンド信号から周波数切替信号を生成する周波数設定回路と、前記周波数切替信号に基づいて、前記アンテナ部が受信した到来電波の通過帯を、前記送信波の周波数帯から前記切替後送信波の周波数帯に変更し、前記切替後送信波以外の周波数帯を阻止帯に変更するフィルタ部と、このフィルタ部によって前記到来電波から濾波された前記切替後送信波のコマンド信号を復調する復調回路と、復調されたコマンド信号から、前記メモリ部へ前記タグ情報の更新・書き換えと読み出しとのいずれか一方、又は両方の指示を行う制御回路と、この制御回路の指示により前記メモリ部が出力した読み出し信号を返信波に変調する変調回路とを備えたＲＦＩＤシステム。
【請求項５】
ＲＦＩＤリーダライタから送信されるコマンド信号である送信波を受信し、その送信波のコマンド信号により内部のメモリ部に格納されているタグ情報の更新・書き換え、又はそのタグ情報を前記ＲＦＩＤリーダライタに読み出し信号として返信波を送信するＲＦＩＤタグにおいて、前記送信波の周波数が切替る前に前記コマンド信号に切替後の切替後送信波の周波数情報である周波数設定コマンド信号が含まれている場合であって、前記送信波又は前記切替後送信波を含む到来電波を受信するアンテナ部と、このアンテナ部が受信した前記周波数設定コマンド信号から周波数切替信号を生成する周波数設定回路と、前記周波数切替信号に基づいて、前記アンテナ部が受信した到来電波の通過帯を、前記送信波の周波数帯から前記切替後送信波の周波数帯に変更し、前記切替後送信波以外の周波数帯を阻止帯に変更するフィルタ部と、このフィルタ部によって前記到来電波から濾波された前記切替後送信波のコマンド信号を復調する復調回路と、復調されたコマンド信号から、前記メモリ部へ前記タグ情報の更新・書き換えと読み出しとのいずれか一方、又は両方の指示を行う制御回路と、この制御回路の指示により前記メモリ部が出力した読み出し信号を返信波に変調する変調回路とを備えたＲＦＩＤタグ。
【発明の詳細な説明】
【技術分野】
【０００１】
この発明は、Ｒａｄｉｏ  Ｆｒｅｑｕｅｎｃｙ  Ｉｄｅｎｔｉｆｉｃａｔｉｏｎ（以下、ＲＦＩＤと称す）リーダライタから送信されるコマンド信号をＲＦＩＤタグが受信し、そのコマンド信号の情報に応じてＲＦＩＤタグ内のメモリに格納されているタグ情報の更新・書き換え、又はそのタグ情報を前記ＲＦＩＤタグが前記ＲＦＩＤリーダライタに読み出し信号として送信し、生体・物品の入退室管理や物流管理などに利用されるＲＦＩＤシステム及びそれに用いるＲＦＩＤタグに関するものである。
【背景技術】
【０００２】
従来、ＲＦＩＤシステムは、無線通信システム（ＲＦＩＤリーダライタ）の複数の受信アンテナを直列に接続することにより、非接触通信媒体（ＲＦＩＤタグ）からの送信電磁波（読み出し信号）の受信範囲を拡大することができるとともに、夫々の受信アンテナにトランスを接続することによりノイズを低減するものがある（例えば、特許文献１参照）。また、リーダライタから送信された質問信号としての電磁波が、非接触ＩＣカード（ＲＦＩＤタグ）回路により受信されると、受信された電磁波に対応する電気信号が整流回路に供給され、受信した電気信号を整流平滑し、ＨＰＦ（ハイパスフィルタ）に供給し、ＨＰＦは、供給された正のレベルの電圧から、高域成分を排除して、復調回路に供給するものがある（例えば、特許文献２参照）。
【０００３】
【特許文献１】特開２０００−２８５２０８号公報（第２図）
【０００４】
【特許文献２】特開２００５−９２３５２号公報（第５図）
【発明の開示】
【発明が解決しようとする課題】
【０００５】
しかし、特許文献１に記載の従来技術は、ＲＦＩＤリーダライタの受信時のノイズを軽減して、広域な送信エリアを確保する発明であり、特許文献２に記載の従来技術は、電流回路（整流回路）から供給された正のレベルの電圧から高域成分を排除する発明であるので、ＲＦＩＤシステム使用周波数の近傍の帯域を使用する無線通信機器が大電力の送信電波を出していると、感度抑圧などの影響を受け、ＲＦＩＤリーダライタからコマンド信号がＲＦＩＤタグで受信・復調ができない可能性があるという課題があった。ちなみに、日本国におけるＲＦＩＤシステムが割り当てられる予定のＵＨＦ帯では、周波数帯が携帯電話の周波数帯の近傍であり、ＲＦＩＤシステムが動作をしている近傍で、携帯電話からの大電力の送信電波では送信されると、上記のような感度抑圧が生じる可能性がある。また、ＲＦＩＤタグを物品に付けて、物品の物流管理にＲＦＩＤシステムが利用されているが、物流が一国、又は一地域だけでなく、多くの国や地域に渡る場合は、それら多くの国や地域でのＲＦＩＤシステム使用周波数等の規格が異なる場合が多く、多くの国・地域での同じＲＦＩＤタグを使用できないという課題もあった。
【０００６】
この発明は、上記のような課題を解消するためになされたもので、ＲＦＩＤシステム使用周波数の近傍の帯域を使用する無線通信機器が大電力の送信電波を出している場合でも、その送信電波による感度抑圧を受けずに、ＲＦＩＤリーダライタからのコマンド信号をＲＦＩＤタグで受信・復調できるＲＦＩＤシステムを提供することを目的とする。
【課題を解決するための手段】
【０００７】
請求項１の発明に係るＲＦＩＤシステムは、ＲＦＩＤリーダライタから送信されるコマンド信号である送信波をＲＦＩＤタグが受信し、その送信波のコマンド信号により前記ＲＦＩＤタグ内のメモリ部に格納されているタグ情報の更新・書き換え、又はそのタグ情報を前記ＲＦＩＤタグが前記ＲＦＩＤリーダライタに読み出し信号として返信波を送信するＲＦＩＤシステムにおいて、前記送信波と周波数が異なる電波を送信する手段であって、前記ＲＦＩＤタグが受信する前記送信波の周波数帯を前記ＲＦＩＤタグに切替させるために、切替後送信波の周波数情報である周波数設定コマンド信号を周波数設定波として前記ＲＦＩＤタグへ送信する周波数設定波送信手段と、前記ＲＦＩＤタグに設けられ、前記送信波を含む到来電波を受信する第１のアンテナ部と、前記ＲＦＩＤタグに設けられ、前記周波数設定波を受信する第２のアンテナ部と、この第２のアンテナ部が受信した前記周波数設定波を復調し、前記周波数設定コマンド信号から周波数切替信号を生成する周波数設定回路と、前記周波数切替信号に基づいて、前記第１のアンテナ部が受信した到来電波の通過帯を、前記送信波の周波数帯から前記切替後送信波の周波数帯に設定し、前記切替後送信波以外の周波数帯を阻止帯に設定するフィルタ部と、このフィルタ部によって前記到来電波から濾波された前記切替後送信波のコマンド信号を復調する復調回路と、復調されたコマンド信号から、前記メモリ部へ前記タグ情報の更新・書き換えと読み出しとのいずれか一方、又は両方の指示を行う制御回路と、この制御回路の指示により前記メモリ部が出力した読み出し信号を返信波に変調する変調回路とを備えたことを特徴とするものである。
【０００８】
請求項２の発明に係るＲＦＩＤシステムは、前記周波数設定波送信手段は、前記ＲＦＩＤリーダライタに設けられるものである請求項１に記載のものである。
【０００９】
請求項３の発明に係るＲＦＩＤタグは、ＲＦＩＤリーダライタから送信されるコマンド信号である送信波を受信し、その送信波のコマンド信号により内部のメモリ部に格納されているタグ情報の更新・書き換え、又はそのタグ情報を前記ＲＦＩＤリーダライタに読み出し信号として返信波を送信するＲＦＩＤタグにおいて、前記送信波を含む到来電波を受信する第１のアンテナ部と、前記送信波と周波数が異なる電波であって、受信する前記送信波の周波数帯を切替るための、切替後送信波の周波数情報である周波数設定コマンド信号を周波数設定波として受信する第２のアンテナ部と、この第２のアンテナ部が受信した前記周波数設定波を復調し、前記周波数設定コマンド信号から周波数切替信号を生成する周波数設定回路と、前記周波数切替信号に基づいて、前記第１のアンテナ部が受信した到来電波の通過帯を、前記送信波の周波数帯から前記切替後送信波の周波数帯に設定し、前記切替後送信波以外の周波数帯を阻止帯に設定するフィルタ部と、このフィルタ部によって前記到来電波から濾波された前記切替後送信波のコマンド信号を復調する復調回路と、復調されたコマンド信号から、前記メモリ部へ前記タグ情報の更新・書き換えと読み出しとのいずれか一方、又は両方の指示を行う制御回路と、この制御回路の指示により前記メモリ部が出力した読み出し信号を返信波に変調する変調回路とを備えたことを特徴とするものである。
【００１０】
請求項４の発明に係るＲＦＩＤシステムは、ＲＦＩＤリーダライタから送信されるコマンド信号である送信波をＲＦＩＤタグが受信し、その送信波のコマンド信号により前記ＲＦＩＤタグ内のメモリ部に格納されているタグ情報の更新・書き換え、又はそのタグ情報を前記ＲＦＩＤタグが前記ＲＦＩＤリーダライタに読み出し信号として返信波を送信するＲＦＩＤシステムにおいて、前記送信波の周波数が切替る前に前記コマンド信号に切替後の切替後送信波の周波数情報である周波数設定コマンド信号が含まれている場合であって、前記送信波又は前記切替後送信波を含む到来電波を受信するアンテナ部と、このアンテナ部が受信した前記周波数設定コマンド信号から周波数切替信号を生成する周波数設定回路と、前記周波数切替信号に基づいて、前記アンテナ部が受信した到来電波の通過帯を、前記送信波の周波数帯から前記切替後送信波の周波数帯に変更し、前記切替後送信波以外の周波数帯を阻止帯に変更するフィルタ部と、このフィルタ部によって前記到来電波から濾波された前記切替後送信波のコマンド信号を復調する復調回路と、復調されたコマンド信号から、前記メモリ部へ前記タグ情報の更新・書き換えと読み出しとのいずれか一方、又は両方の指示を行う制御回路と、この制御回路の指示により前記メモリ部が出力した読み出し信号を返信波に変調する変調回路とを備えたことを特徴とするものである。
請求項５の発明に係るＲＦＩＤタグは、ＲＦＩＤリーダライタから送信されるコマンド信号である送信波を受信し、その送信波のコマンド信号により内部のメモリ部に格納されているタグ情報の更新・書き換え、又はそのタグ情報を前記ＲＦＩＤリーダライタに読み出し信号として返信波を送信するＲＦＩＤタグにおいて、前記送信波の周波数が切替る前に前記コマンド信号に切替後の切替後送信波の周波数情報である周波数設定コマンド信号が含まれている場合であって、前記送信波又は前記切替後送信波を含む到来電波を受信するアンテナ部と、このアンテナ部が受信した前記周波数設定コマンド信号から周波数切替信号を生成する周波数設定回路と、前記周波数切替信号に基づいて、前記アンテナ部が受信した到来電波の通過帯を、前記送信波の周波数帯から前記切替後送信波の周波数帯に変更し、前記切替後送信波以外の周波数帯を阻止帯に変更するフィルタ部と、このフィルタ部によって前記到来電波から濾波された前記切替後送信波のコマンド信号を復調する復調回路と、復調されたコマンド信号から、前記メモリ部へ前記タグ情報の更新・書き換えと読み出しとのいずれか一方、又は両方の指示を行う制御回路と、この制御回路の指示により前記メモリ部が出力した読み出し信号を返信波に変調する変調回路とを備えたことを特徴とするものである。
【発明の効果】
【００１１】
以上のように、請求項１に係る発明によれば、アンテナ部が受信したＲＦＩＤリーダライタの送信波を含む到来電波のうち、送信波の周波数帯が通過帯、前記送信波以外の周波数帯が阻止帯であるフィルタ部をＲＦＩＤタグに設けたので、ＲＦＩＤシステム使用周波数の近傍の帯域を使用する無線通信機器が大電力の送信電波を出していても、感度抑圧を受けないＲＦＩＤシステムを得ることができる。また、フィルタ部の通過帯と阻止帯との周波数帯が変更できるので、ＲＦＩＤシステム使用周波数が異なる国や地域のＲＦＩＤタグ使用や使用周波数の再設定ができ、ＲＦＩＤシステムの使用周波数の近傍の帯域を使用する無線通信機器が大電力の送信電波を出していても、感度抑圧を受けないＲＦＩＤシステムを得ることができる。さらに、周波数設定波送信手段を設けたことにより、ＲＦＩＤタグに送信波と異なる周波数で、ＲＦＩＤシステムの使用周波数情報である周波数設定コマンド信号を送信して、フィルタ部の通過帯と阻止帯との周波数帯が変更できるので、ＲＦＩＤタグが周波数設定波送信手段の送信エリア内に存在すれば、自動的にＲＦＩＤシステム使用周波数が異なる国や地域のＲＦＩＤタグ使用や使用周波数の再設定ができるＲＦＩＤシステムを得ることができる。
【００１２】
請求項２に係る発明によれば、アンテナ部が受信したＲＦＩＤリーダライタの送信波を含む到来電波のうち、送信波の周波数帯が通過帯、前記送信波以外の周波数帯が阻止帯であるフィルタ部をＲＦＩＤタグに設けたので、ＲＦＩＤシステム使用周波数の近傍の帯域を使用する無線通信機器が大電力の送信電波を出していても、感度抑圧を受けないＲＦＩＤシステムを得ることができる。また、フィルタ部の通過帯と阻止帯との周波数帯が変更できるので、ＲＦＩＤシステム使用周波数が異なる国や地域のＲＦＩＤタグ使用や使用周波数の再設定ができ、ＲＦＩＤシステムの使用周波数の近傍の帯域を使用する無線通信機器が大電力の送信電波を出していても、感度抑圧を受けないＲＦＩＤシステムを得ることができる。さらに、周波数設定波送信手段を設けたことにより、ＲＦＩＤタグに送信波と異なる周波数で、ＲＦＩＤシステムの使用周波数情報である周波数設定コマンド信号を送信して、フィルタ部の通過帯と阻止帯との周波数帯が変更できるので、ＲＦＩＤタグがＲＦＩＤリーダライタの送信エリア内に存在すれば、自動的にＲＦＩＤシステム使用周波数が異なる国や地域のＲＦＩＤタグ使用や使用周波数の再設定ができるＲＦＩＤシステムを得ることができる。
【００１３】
請求項３に係る発明によれば、アンテナ部が受信したＲＦＩＤリーダライタの送信波を含む到来電波のうち、送信波の周波数帯が通過帯、前記送信波以外の周波数帯が阻止帯であるフィルタ部を設けたので、ＲＦＩＤシステム使用周波数の近傍の帯域を使用する無線通信機器が大電力の送信電波を出していても、感度抑圧を受けないＲＦＩＤタグを得ることができる。また、フィルタ部の通過帯と阻止帯との周波数帯が変更できるので、ＲＦＩＤシステム使用周波数が異なる国や地域のＲＦＩＤタグ使用や使用周波数の再設定ができ、ＲＦＩＤシステムの使用周波数の近傍の帯域を使用する無線通信機器が大電力の送信電波を出していても、感度抑圧を受けないＲＦＩＤタグを得ることができる。さらに、送信波と異なる周波数で、ＲＦＩＤシステムの使用周波数情報である周波数設定コマンド信号を受信して、フィルタ部の通過帯と阻止帯との周波数帯が変更できるので、自動的にＲＦＩＤシステム使用周波数が異なる国や地域の使用や使用周波数の再設定ができるＲＦＩＤタグを得ることができる。
【００１４】
請求項４に係る発明によれば、アンテナ部が受信したＲＦＩＤリーダライタの送信波を含む到来電波のうち、送信波の周波数帯が通過帯、前記送信波以外の周波数帯が阻止帯であるフィルタ部をＲＦＩＤタグに設けたので、ＲＦＩＤシステム使用周波数の近傍の帯域を使用する無線通信機器が大電力の送信電波を出していても、感度抑圧を受けないＲＦＩＤシステムを得ることができる。また、フィルタ部の通過帯と阻止帯との周波数帯が変更できるので、ＲＦＩＤシステム使用周波数が異なる国や地域のＲＦＩＤタグ使用や使用周波数の再設定ができ、ＲＦＩＤシステムの使用周波数の近傍の帯域を使用する無線通信機器が大電力の送信電波を出していても、感度抑圧を受けないＲＦＩＤシステムを得ることができる。さらに、送信波の周波数の切替前にコマンド信号に切替後の切替後送信波の周波数情報である周波数設定コマンド信号を載せることにより、フィルタ部の通過帯と阻止帯との周波数帯が変更できるので、ＲＦＩＤタグがＲＦＩＤシステムに周波数設定波送信手段が存在しないＲＦＩＤシステムの使用周波数が異なる国や地域に持ち込まれてもＲＦＩＤタグを使用できるＲＦＩＤシステムを得ることができる。
請求項５に係る発明によれば、アンテナ部が受信したＲＦＩＤリーダライタの送信波を含む到来電波のうち、送信波の周波数帯が通過帯、前記送信波以外の周波数帯が阻止帯であるフィルタ部を設けたので、ＲＦＩＤシステム使用周波数の近傍の帯域を使用する無線通信機器が大電力の送信電波を出していても、感度抑圧を受けないＲＦＩＤタグを得ることができる。また、フィルタ部の通過帯と阻止帯との周波数帯が変更できるので、ＲＦＩＤシステム使用周波数が異なる国や地域のＲＦＩＤタグ使用や使用周波数の再設定ができ、ＲＦＩＤシステムの使用周波数の近傍の帯域を使用する無線通信機器が大電力の送信電波を出していても、感度抑圧を受けないＲＦＩＤタグを得ることができる。さらに、送信波の周波数の切替前にコマンド信号に切替後の切替後送信波の周波数情報である周波数設定コマンド信号により、フィルタ部の通過帯と阻止帯との周波数帯が変更できるので、ＲＦＩＤシステムに周波数設定波送信手段が存在しないＲＦＩＤシステムの使用周波数が異なる国や地域に持ち込まれても使用できるＲＦＩＤタグを得ることができる。
【発明を実施するための最良の形態】
【００１５】
実施の形態１．
以下、この発明の実施の形態１について図１，図２を用いて説明する。図１は、実施の形態１によるＲＦＩＤシステムの運用図、図２は、実施の形態１によるＲＦＩＤシステムのＲＦＩＤタグ回路構成図であり、図１，図２において、１はＲＦＩＤタグ、２はＲＦＩＤリーダライタ、３はＲＦＩＤタグ１に送信波ｆ０を送るＲＦＩＤリーダライタに設けられたリーダライタアンテナ部、４はＲＦＩＤタグに設けられたアンテナ部、５はアンテナ部４が受信した送信波を整流回路で平滑化し、電力を生成する電源回路、６はＲＦＩＤタグに搭載され、固体識別情報等のタグ情報が格納されたメモリ部、７はアンテナ部４が受信した送信波を濾波するフィルタ部、８はフィルタ部７が濾波した送信波を復調する復調回路、９は復調回路８で復調された送信波によりメモリ部６を制御する制御回路、１０は制御回路９によりメモリ部６から引き出された情報を変調し、アンテナ部４に送る変調回路、１１はＲＦＩＤ１及びＲＦＩＤリーダライタ２の近傍で大電力の送信電波ｆ１を出す無線通信機器（携帯電話）である。図中、同一符号は、同一又は相当部分を示しそれらについての詳細な説明は省略する。
【００１６】
ＲＦＩＤシステムを利用する用途（生体・物品の入退室管理や物流管理）に合わせて、それらのタグ情報がＲＦＩＤタグ１のメモリ部６に格納されており、ＲＦＩＤリーダライタ２は、自身の送受信エリア内にＲＦＩＤタグ１が存在又は移動しているときにタグ情報の更新・書き換え、又は読み出しを行うことができる。次に動作について説明する。ＲＦＩＤリーダライタ２は、更新・書き換え、又は読み出し等をＲＦＩＤタグ１に命令するコマンド信号をリーダライタアンテナ部３から送信波ｆ０としてＲＦＩＤタグ１へ送信する。ＲＦＩＤタグ１のアンテナ部４が送信波ｆ０を受信し、送信波ｆ０は電源回路５により検波・蓄電（平滑化）され、ＲＦＩＤタグ１の動作電源を生成し、ＲＦＩＤタグ１の各回路に動作電源を供給する。また、送信波ｆ０はアンテナ部４と復調回路８との間で、コマンド信号のみが伝送される経路に挿入されたフィルタ部７により濾波され、復調回路８によりコマンド信号が復調される。復調されたコマンド信号の命令内容から制御回路９がデータ処理し、メモリ部６へタグ情報の更新・書き換えと読み出しとのいずれか一方、又は両方の指示を行い、この制御回路の指示によりメモリ部６が出力した読み出し信号が変調回路１０により変調された返信波ｆ０がアンテナ部４からリーダライタアンテナ部３に送信される。
【００１７】
ここで、図１に示す無線通信機器１１がＲＦＩＤ１及びＲＦＩＤリーダライタ２の送受信エリア内で大電力の送信電波ｆ１を出し、この送信電波ｆ１の周波数が送信波ｆ０の周波数の近傍であると、ＲＦＩＤタグ１のアンテナ部４は送信電波ｆ１もあわせて受信してしまうが、ＲＦＩＤタグ１のフィルタ部７が、送信波ｆ０の周波数帯を通過帯、前記送信波以外の周波数帯を阻止帯の性能を有していれば、フィルタ部７が送信波ｆ０の電波を濾波して、無線通信機器１１の送信電波ｆ１による復調回路８へ感度抑圧によるコマンド信号の正常認識への悪影響を生じない。具体的に、フィルタ部７は、送信波ｆ０を通過させ、無線通信機器１１の送信電波ｆ１を含む送信波ｆ０以外の周波数の信号を抑圧する帯域通過フィルタ（ＢＰＦ）が用いられるか、無線通信機器１１の送信電波ｆ１の周波数が既知の場合は、送信電波ｆ１のみを抑圧し、送信波ｆ０を通過させる帯域抑圧フィルタ（ＢＲＦ）を用いてもよい。なお、リーダライタアンテナ部３とアンテナ部４とは、送信用と受信用のアンテナを別々に設けてもよいことや送信波と返信波との周波数を変えてもよいことは言うまでもない。また、フィルタ部はコマンド信号のみが伝送されるＲＦＩＤタグのアンテナ部と復調回路との間に挿入されているので、電源回路５用の電波（送信波ｆ０）や変調回路１０から出力される読み出し信号（応答信号）に無用な損失を発生させることはない。
【００１８】
実施の形態２．
この発明の実施の形態２について図３を用いて説明する。図３は、実施の形態２によるＲＦＩＤシステムのＲＦＩＤタグ回路構成図であり、図３において、１２は通過帯と阻止帯との周波数帯が変更可能であるフィルタ部（チューナブルフィルタ）、１３はフィルタ部１２の周波数切替を指示する周波数切替回路である。図中、同一符号は、同一又は相当部分を示しそれらについての詳細な説明は省略する。なお、フィルタ部１２には、共振器ＢＰＦの可変容量ダイオードに印加する直流電流を変化させることにより容量を変化させ、通過帯を変化させるものなどがある。実施の形態２のＲＦＩＤシステムの基本的な運用や各回路の動作は実施の形態１と同じであるので、以下に異なる点のみを記す。
【００１９】
実施の形態１では、ＲＦＩＤシステムの送信波ｆ０は固定あったが、図３に示すＲＦＩＤタグ１では、通過帯と阻止帯との周波数帯が変更可能であるフィルタ部１２が実装されており、周波数切替回路１３がフィルタ部１２の通過帯と阻止帯との周波数帯を切替えることにより、多くの国や地域でのＲＦＩＤシステム使用周波数等の規格が異なる場合でもＲＦＩＤタグが使用可能となる。また、周波数切替回路１３が切替指示を出すトリガは、ＲＦＩＤタグに切替スイッチ等を設けて行うなどが考えられる。なお、使用周波数の変化が大きい（切替帯域が広い）場合は、使用周波数毎に対応するアンテナ部４を複数設けることや、周波数切替回路１３がフィルタ部１２に通過帯と阻止帯との周波数帯の切替えの指示するだけでなく、復調回路８と変調回路１０を使用周波数毎に複数個、切替可能にＲＦＩＤタグ１の内部回路に設けて、それらをフィルタ部１２とあわせて切替えてもよい。このようにＲＦＩＤタグ１内の回路を構成することにより、コマンド信号の送信波ｆ０や抑圧する必要がある大電力の送信電波ｆ１を出す無線通信機器１１の使用周波数の変化に容易に対応できる。
【００２０】
実施の形態３．
この発明の実施の形態３について図４〜８を用いて説明する。図４，図６は、実施の形態３によるＲＦＩＤシステムの運用図、図５，図７は、実施の形態３によるＲＦＩＤシステムのＲＦＩＤタグ回路構成図、図８は、実施の形態３によるＲＦＩＤシステムの周波数設定フロー図であり、図４〜８において、１４は周波数設定波送信手段である周波数設定コマンド送信回路内蔵のＲＦＩＤリーダライタ、１５はＲＦＩＤリーダライタ１４に設けられた周波数設定コマンド信号を送信する周波数設定コマンド信号送信アンテナ部、１６はＲＦＩＤタグ１に設けられた周波数設定コマンド信号を受信する周波数設定コマンド信号受信アンテナ部、１７は周波数設定コマンド信号を復調する周波数設定回路、１８はＲＦＩＤリーダライタ１４の外部に設けられた周波数設定波送信手段である周波数設定コマンド送信装置である。図中、同一符号は、同一又は相当部分を示しそれらについての詳細な説明は省略する。実施の形態３のＲＦＩＤシステムの基本的な運用や各回路の動作は実施の形態２と同じであるので、以下に異なる点のみを記す。
【００２１】
実施の形態２では、周波数切替回路１３が切替指示を出すトリガは、ＲＦＩＤタグに切替スイッチ等を設けるなどにより行なわれたが、実施の形態３では、周波数設定波送信手段を設けてフィルタ部１２の通過帯と阻止帯との周波数帯を切替える。次に動作を説明する。ＲＦＩＤシステムの送信波ｆ０と周波数が異なる送信波ｆ０の周波数情報である周波数設定コマンド信号を周波数設定波送信手段が周波数設定波ｆ２として周波数設定コマンド信号送信アンテナ部１５から送信する。周波数設定波ｆ２はＲＦＩＤタグ１に設けられた周波数設定コマンド信号受信アンテナ部１６で受信され、図８のＲＦＩＤシステムの周波数設定フロー図に示すように周波数設定回路１７が周波数設定コマンド信号を復調し、周波数切替信号を生成する。この周波数切替信号の指示によりフィルタ部１２の通過帯と阻止帯との周波数帯を切替えることにより、多くの国や地域でのＲＦＩＤシステム使用周波数等の規格が異なる場合でもＲＦＩＤタグが使用可能で、無線通信機器が大電力の送信電波ｆ１を出していても、感度抑圧を受けないＲＦＩＤシステムを得ることができる。
【００２２】
なお、使用周波数は送信波ｆ０がＵＨＦ帯（８００／９００ＭＨｚ）、波数設定波ｆ２が１３．５６ＭＨｚ帯や２．４５ＧＨｚ帯の利用が考えられる。また、周波数設定波送信手段は、図４と図５に示すように、ＲＦＩＤリーダライタ１４に内蔵しても構わないし、図６と図７に示すようにＲＦＩＤリーダライタ２の外部に周波数設定コマンド送信装置１８を設けても構わない。また、周波数設定波ｆ２がＲＦＩＤシステムの送信エリア内に伝播していないときには、ＲＦＩＤシステムが通常運用されることはいうまでもない。
【００２３】
実施の形態４．
この発明の実施の形態４について図９，図１０を用いて説明する。図９は、実施の形態３によるＲＦＩＤシステムのＲＦＩＤタグ回路構成図、図１０は、実施の形態４によるＲＦＩＤシステムの周波数設定フロー図であり、図中、同一符号は、同一又は相当部分を示しそれらについての詳細な説明は省略する。実施の形態４のＲＦＩＤシステムの基本的な運用や各回路の動作は実施の形態２と同じであるので、以下に異なる点のみを記す。実施の形態２では、周波数切替回路１３が切替指示を出すトリガは、ＲＦＩＤタグに切替スイッチ等を設けるなどにより行なわれ、実施の形態３では、周波数設定波送信手段を設けてフィルタ部１２の通過帯と阻止帯との周波数帯を切替えていたが、実施の形態４では、送信波ｆ０の周波数の切替前にコマンド信号に切替後の切替後送信波の周波数情報である周波数設定コマンド信号を載せて、フィルタ部１２の通過帯と阻止帯との周波数帯を切替える。
【００２４】
次に動作を説明する。ＲＦＩＤシステムの送信波ｆ０をアンテナ部４が受信し、図１０のＲＦＩＤシステムの周波数設定フロー図に示すように送信波ｆ０のコマンド信号の中に周波数設定コマンド信号が含まれているとき、復調回路８が周波数設定コマンド信号を復調し、この周波数設定コマンド信号に基づき、制御回路９から周波数設定回路１７へ指令がなされ、フィルタ部１２の通過帯と阻止帯との周波数帯が切替えられる。なお、周波数設定回路１７が周波数設定コマンド信号を復調してもよい(図示せず)。このようにして、ＲＦＩＤタグ１がＲＦＩＤシステムに図５及び図７に示すような周波数設定波送信手段が存在しないＲＦＩＤシステムの使用周波数が異なる国や地域に持ち込まれても、事前に上記のように使用周波数を変更しておけば、多くの国や地域でのＲＦＩＤシステム使用周波数等の規格が異なる場合でもＲＦＩＤタグが使用可能で、無線通信機器が大電力の送信電波ｆ１を出していても、感度抑圧を受けないＲＦＩＤシステムを得ることができる。また、送信波ｆ０のコマンド信号の中に周波数設定コマンド信号が含まれていないときには、ＲＦＩＤシステムが通常運用されることはいうまでもない。
【図面の簡単な説明】
【００２５】
【図１】この発明の実施の形態１によるＲＦＩＤシステムの運用図である。
【図２】この発明の実施の形態１によるＲＦＩＤシステムのＲＦＩＤタグ回路構成図である。
【図３】この発明の実施の形態２によるＲＦＩＤシステムのＲＦＩＤタグ回路構成図である。
【図４】この発明の実施の形態３によるＲＦＩＤシステムの運用図である。
【図５】この発明の実施の形態３によるＲＦＩＤシステムのＲＦＩＤタグ回路構成図である。
【図６】この発明の実施の形態３によるＲＦＩＤシステムの運用図である。
【図７】この発明の実施の形態３によるＲＦＩＤシステムのＲＦＩＤタグ回路構成図である。
【図８】この発明の実施の形態３によるＲＦＩＤシステムの周波数設定フロー図である。
【図９】この発明の実施の形態４によるＲＦＩＤシステムのＲＦＩＤタグ回路構成図である。
【図１０】この発明の実施の形態４によるＲＦＩＤシステムの周波数設定フロー図である。
【符号の説明】
【００２６】
１…ＲＦＩＤタグ、２…ＲＦＩＤリーダライタ、３…リーダライタアンテナ部、４…アンテナ部、５…電源回路、６…メモリ部、７…フィルタ部、８…復調回路、９…制御回路、１０…変調回路、１１…無線通信機器（携帯電話）、１２…フィルタ部（チューナブルフィルタ）、１３…周波数切替回路、１４…ＲＦＩＤリーダライタ（周波数設定コマンド送信回路内蔵）、１５…周波数設定コマンド信号送信アンテナ部、１６…周波数設定コマンド信号受信アンテナ部、１７…周波数設定回路、１８…周波数設定コマンド送信装置
【図１】
0004807029.tif 000002
【図２】
0004807029.tif 000003
【図３】
0004807029.tif 000004
【図４】
0004807029.tif 000005
【図５】
0004807029.tif 000006
【図６】
0004807029.tif 000007
【図７】
0004807029.tif 000008
【図８】
0004807029.tif 000009
【図９】
0004807029.tif 000010
【図１０】
0004807029.tif 000011